(57)【要約】【課題】  カメラに外嵌されてこのカメラを雨水や塵埃から保護するカバーを、外形が異なる種々のカメラに共用できるようにして、カバーの管理が容易にできるようにする。【解決手段】  カメラ用防水防塵装置１６は、カメラ１に外嵌される透明かつ可撓性のカバー１７を備える。このカバー１７の外部からの操作により上記カメラ１を作動可能とする。カバー１７を、下端に形成された開口１８を通しカメラ１の上方からこのカメラ１に嵌脱可能に外嵌する袋形状とする。縦方向におけるカバー１７の中途部に、カメラ１の撮影レンズ部４を対向可能とさせるレンズ開口２４を貫設する。【選択図】  図１
2006201659.tif 000002
【特許請求の範囲】
【請求項１】
カメラに外嵌される透明かつ可撓性のカバーを備え、このカバーの外部からの操作により上記カメラを作動可能としたカメラ用防水防塵装置において、
上記カバーを、下端に形成された開口を通し上記カメラの上方からこのカメラに嵌脱可能に外嵌する袋形状とし、縦方向における上記カバーの中途部に、上記カメラの撮影レンズ部を対向可能とさせるレンズ開口を貫設したことを特徴とするカメラ用防水防塵装置。
【請求項２】
上記撮影レンズ部に対し、上記カバーの外部からズームレンズ部を着脱可能としたことを特徴とする請求項１に記載のカメラ用防水防塵装置。
【請求項３】
上記カメラが、カメラ本体と、このカメラ本体に対し回動可能に枢支されるパネル式ファインダーとを備え、上記カバーが、上記カメラ本体とパネル式ファインダーの回動軌跡とを一体的に外嵌可能としたことを特徴とする請求項１、もしくは２に記載のカメラ用防水防塵装置。
【請求項４】
上記カメラが、カメラ本体と、このカメラ本体の上部に着脱可能に取り付けられるストロボとを備え、上記カバーが、上記カメラ本体とストロボとを一体的に外嵌可能としたことを特徴とする請求項１、もしくは２に記載のカメラ用防水防塵装置。
【請求項５】
上記レンズ開口の開度を調整可能とする調整具を備えたことを特徴とする請求項１から４のうちいずれか１つに記載のカメラ用防水防塵装置。
【発明の詳細な説明】
【技術分野】
【０００１】
本発明は、カメラを覆う透明かつ可撓性のカバーを備えたカメラ用防水防塵装置に関するものである。
【背景技術】
【０００２】
上記カメラ用防水防塵装置には、従来、下記特許文献１−４に示されるものがある。これら公報のものによれば、上記カメラ用防水防塵装置は、カメラに外嵌される透明かつ可撓性のカバーを備え、このカバーの外部からの操作により上記カメラが作動可能とされている。
【０００３】
上記カメラの使用時、雨天であったり、風が強かったりする場合には、上記カメラにカバーを外嵌させて覆う。すると、上記カメラはカバーにより雨水や塵埃から保護されて、機能が損なわれることが防止される。そして、上記カバーを外嵌させたカメラを把持して、上記カバーの外部からの操作により上記カメラを作動させれば、このカメラによる撮影が可能となる。
【０００４】
【特許文献１】特開２０００−３２１７２１号公報
【特許文献２】特開２００２−６３８９号公報
【特許文献３】特開２００２−５５３８７号公報
【特許文献４】特開２００４−１２８５２９号公報
【発明の開示】
【発明が解決しようとする課題】
【０００５】
ところで、上記各従来の技術では、上記カバーは、このカバーの対象となるカメラの外形に合致する形状に、予め、形成されている。
【０００６】
このため、外形が異なるカメラ毎に上記カバーを準備することが求められる。しかし、これでは、カバーの種類が多くなって、その管理が煩雑になるという問題点がある。
【課題を解決するための手段】
【０００７】
本発明は、上記のような事情に注目してなされたもので、本発明の目的は、カメラに外嵌されてこのカメラを雨水や塵埃から保護するカバーを、外形が異なる種々のカメラに共用できるようにして、上記カバーの管理が容易にできるようにすることである。
【０００８】
請求項１の発明は、カメラ１に外嵌される透明かつ可撓性のカバー１７を備え、このカバー１７の外部からの操作により上記カメラ１を作動可能としたカメラ用防水防塵装置において、
上記カバー１７を、下端に形成された開口１８を通し上記カメラ１の上方からこのカメラ１に嵌脱可能に外嵌する袋形状とし、縦方向における上記カバー１７の中途部に、上記カメラ１の撮影レンズ部４を対向可能とさせるレンズ開口２４を貫設したものである。
【０００９】
請求項２の発明は、請求項１の発明に加えて、上記撮影レンズ部４に対し、上記カバー１７の外部からズームレンズ部９を着脱可能としたものである。
【００１０】
請求項３の発明は、請求項１、もしくは２の発明に加えて、上記カメラ１が、カメラ本体２と、このカメラ本体２に対し回動可能に枢支されるパネル式ファインダー１１とを備え、上記カバー１７が、上記カメラ本体２とパネル式ファインダー１１の回動軌跡２６とを一体的に外嵌可能としたものである。
【００１１】
請求項４の発明は、請求項１、もしくは２の発明に加えて、上記カメラ１が、カメラ本体２と、このカメラ本体２の上部に着脱可能に取り付けられるストロボ１３とを備え、上記カバー１７が、上記カメラ本体２とストロボ１３とを一体的に外嵌可能としたものである。
【００１２】
請求項５の発明は、請求項１から４のうちいずれか１つの発明に加えて、上記レンズ開口２４の開度を調整可能とする調整具２８を備えたものである。
【００１３】
なお、この項において、上記各用語に付記した符号は、本発明の技術的範囲を後述の「実施例」の項や図面の内容に限定解釈するものではない。
【発明の効果】
【００１４】
本発明による効果は、次の如くである。
【００１５】
請求項１の発明は、カメラに外嵌される透明かつ可撓性のカバーを備え、このカバーの外部からの操作により上記カメラを作動可能としたカメラ用防水防塵装置において、
上記カバーを、下端に形成された開口を通し上記カメラの上方からこのカメラに嵌脱可能に外嵌する袋形状とし、縦方向における上記カバーの中途部に、上記カメラの撮影レンズ部を対向可能とさせるレンズ開口を貫設している。
【００１６】
即ち、上記カバーは袋形状であって、その縦方向の中途部にレンズ開口を貫設した、という単純な形状である。このため、上記カバーは、外形の異なる種々のカメラに共用させることができる。よって、外形が異なるカメラ毎にカバーを準備する、ということは不要であって、カバーの管理が容易となる。
【００１７】
請求項２の発明は、上記撮影レンズ部に対し、上記カバーの外部からズームレンズ部を着脱可能としている。
【００１８】
ここで、上記ズームレンズ部は、被写体の変化に対応するよう他の性能のズームレンズ部に交換するなど、上記撮影レンズ部に対し頻繁に着脱を繰り返すものである。そして、上記したように、ズームレンズ部は撮影レンズ部に対しカバーの外部から着脱可能としている。このため、上記ズームレンズ部の着脱操作において、上記カバーが邪魔になることは防止される。よって、特に、撮影レンズ部に対するズームレンズ部の着脱を頻繁に繰り返す測量用のカメラにとって有益である。
【００１９】
請求項３の発明は、上記カメラが、カメラ本体と、このカメラ本体に対し回動可能に枢支されるパネル式ファインダーとを備え、上記カバーが、上記カメラ本体とパネル式ファインダーの回動軌跡とを一体的に外嵌可能としている。
【００２０】
このため、上記パネル式ファインダーは、これを上記カバーで覆ったまま、このカバーの外部からの操作により、所望角度にさせることができる。よって、上記パネル式ファインダーは雨水や塵埃から十分に保護されると共に、このパネル式ファインダーが有効に利用される。
【００２１】
請求項４の発明は、上記カメラが、カメラ本体と、このカメラ本体の上部に着脱可能に取り付けられるストロボとを備え、上記カバーが、上記カメラ本体とストロボとを一体的に外嵌可能としている。
【００２２】
このため、上記ストロボは、これをカバーで覆ったまま、使用できる。よって、上記ストロボは雨水や塵埃から十分に保護されると共に、このストロボが有効に利用される。
【００２３】
請求項５の発明は、上記レンズ開口の開度を調整可能とする調整具を備えている。
【００２４】
このため、上記撮影レンズ部の外径が区々としても、これに上記レンズ開口の開度を対応させることができる。そこで、上記撮影レンズ部の外径に上記レンズ開口の開度を対応させ、上記撮影レンズ部に外嵌させる。すると、上記カメラとカバーの互いの位置決めができて、これらが相対的に無用に位置変化することが抑制される。
【００２５】
よって、このカバーによるカメラの保護が、より確実にできると共に、カメラの取り扱いが容易にできる。
【発明を実施するための最良の形態】
【００２６】
本発明のカメラ用防水防塵装置に関し、カメラに外嵌されてこのカメラを雨水や塵埃から保護するカバーを、外形が異なる種々のカメラに共用できるようにして、上記カバーの管理が容易にできるようにする、という目的を実現するため、本発明を実施するための最良の形態は、次の如くである。
【００２７】
即ち、カメラ用防水防塵装置は、カメラに外嵌される透明かつ可撓性のカバーを備えている。このカバーの外部からの操作により上記カメラが作動可能とされている。上記カバーは、下端に形成された開口を通し上記カメラの上方からこのカメラに嵌脱可能に外嵌する袋形状とされている。縦方向における上記カバーの中途部に、上記カメラの撮影レンズ部を対向可能とさせるレンズ開口が貫設されている。
【実施例】
【００２８】
本発明をより詳細に説明するために、その実施例を添付の図に従って説明する。
【００２９】
図において、符号１は測量用などのカメラである。このカメラ１は、物体を撮影可能とするカメラ本体２を備えている。このカメラ本体２は、直方体形状のカメラ本体基部３と、このカメラ本体基部３の前面から前方に突出してその突出部の内部に撮影レンズを有する撮影レンズ部４と、上記カメラ本体基部３の上面に設けられるシャッターボタン５と、上記カメラ本体基部３の側部に連結される吊り具６とを有している。上記カメラ本体基部３は、その外殻を形成するハウジングと、このハウジングに内有されて撮影画像を記録する記録装置とを備えている。
【００３０】
また、上記カメラ１は、上記撮影レンズ部４の突出端部に対し、着脱可能に連結されるズームレンズ部９と、上記カメラ本体２のカメラ本体基部３に対し枢支具１０により全方向に回動可能に枢支されるパネル式ファインダー１１と、上記カメラ本体基部３の上面に設けられた連結具１２により、上記カメラ本体基部３に着脱可能に連結されるストロボ１３とを備えている。上記パネル式ファインダー１１は液晶パネル製である。
【００３１】
上記カメラ１を雨水や塵埃から保護する防水防塵装置１６が設けられている。この防水防塵装置１６は、上記カメラ１に外嵌される透明かつ可撓性のカバー１７を備えている。
【００３２】
上記カバー１７はポリエチレンなどの樹脂製である。このカバー１７は、その下端に開口１８が形成されている。上記カバー１７は、開いた状態の上記開口１８を通し（各図中、二点鎖線）、上記カメラ１の上方からこのカメラ１に嵌脱可能に外嵌してこのカメラ１を覆う袋形状とされている。上記開口１８は、カバー１７の下部の撓みにより開閉可能とされている。上記開口１８を閉じた状態（各図中、実線）に保持可能とする面ファスナー製の閉じ具１９が設けられている。
【００３３】
上記カバー１７は、その上端に他の開口２１が形成されている。この他の開口２１は、カバー１７の上部の撓みにより開閉可能とされている。上記他の開口２１を閉じた状態に保持可能とする面ファスナー製の他の閉じ具２２が設けられている。
【００３４】
また、縦方向における上記カバー１７の中途部の側部に、更に他の開口２３が形成されている。この開口２３を通し、カバー１７の外部から上記吊り具６に不図示の吊りベルトの端部が連結可能とされている。
【００３５】
縦方向における上記カバー１７の中途部の前部に、上記撮影レンズ部４を対向可能とさせるレンズ開口２４が貫設されている。このレンズ開口２４に上記撮影レンズ部４が嵌脱可能に嵌入されている。この撮影レンズ部４の突出端部に対し、上記カバー１７の外部から上記ズームレンズ部９が嵌脱可能に連結されている。
【００３６】
上記カバー１７は、上記カメラ本体２、パネル式ファインダー１１の回動軌跡２６、およびストロボ１３に一体的に嵌脱可能に外嵌されている。
【００３７】
上記レンズ開口２４の開度を調整可能とする調整具２８が設けられている。この調整具２８は、上記レンズ開口２４の開口縁部に沿って延びる紐状体２９を備えている。この紐状体２９を絞ったり、緩めたりすることにより、上記レンズ開口２４の開度が調整可能とされている。
【００３８】
上記ストロボ１３の周りのカバー１７の部分を上記ストロボ１３の外面に締め付け、解除可能とする締め付け具３１が設けられている。この締め付け具３１は上記ストロボ１３を取り囲むよう上記カバー１７に取り付けられる紐状体３２を備えている。この紐状体３２を絞ったり、緩めたりすることにより、上記カバー１７の部分が、上記ストロボ１３の外面に締め付けられたり（各図中、二点鎖線）、この締め付けが解除されたり（各図中、実線）される。
【００３９】
上記構成によれば、カバー１７を、下端に形成された開口１８を通し上記カメラ１の上方からこのカメラ１に嵌脱可能に外嵌する袋形状とし、縦方向における上記カバー１７の中途部に、上記カメラ１の撮影レンズ部４を対向可能とさせるレンズ開口２４を貫設している。
【００４０】
即ち、上記カバー１７は袋形状であって、その縦方向の中途部にレンズ開口２４を貫設した、という単純な形状である。このため、上記カバー１７は、外形の異なる種々のカメラ１に共用させることができる。よって、外形が異なるカメラ１毎にカバー１７を準備する、ということは不要であって、カバー１７の管理が容易となる。
【００４１】
前記したように、撮影レンズ部４に対し、上記カバー１７の外部からズームレンズ部９を着脱可能としている。
【００４２】
ここで、上記ズームレンズ部９は、被写体の変化に対応するよう他の性能のズームレンズ部９に交換するなど、上記撮影レンズ部４に対し頻繁に着脱を繰り返すものである。そして、上記したように、ズームレンズ部９は撮影レンズ部４に対しカバー１７の外部から着脱可能としている。このため、上記ズームレンズ部９の着脱操作において、上記カバー１７が邪魔になることは防止される。よって、特に、撮影レンズ部４に対するズームレンズ部９の着脱を頻繁に繰り返す測量用のカメラ１にとって有益である。
【００４３】
前記したように、カメラ１が、カメラ本体２と、このカメラ本体２に対し回動可能に枢支されるパネル式ファインダー１１とを備え、上記カバー１７が、上記カメラ本体２とパネル式ファインダー１１の回動軌跡２６とを一体的に外嵌可能としている。
【００４４】
このため、上記パネル式ファインダー１１は、これを上記カバー１７で覆ったまま、このカバー１７の外部からの操作により、所望角度にさせることができる。よって、上記パネル式ファインダー１１は雨水や塵埃から十分に保護されると共に、このパネル式ファインダー１１が有効に利用される。
【００４５】
前記したように、カメラ１が、カメラ本体２と、このカメラ本体２の上部に着脱可能に取り付けられるストロボ１３とを備え、上記カバー１７が、上記カメラ本体２とストロボ１３とを一体的に外嵌可能としている。
【００４６】
このため、上記ストロボ１３は、これをカバー１７で覆ったまま、使用できる。よって、上記ストロボ１３は雨水や塵埃から十分に保護されると共に、このストロボ１３が有効に利用される。
【００４７】
前記したように、上記レンズ開口２４の開度を調整可能とする調整具２８を備えている。
【００４８】
このため、上記撮影レンズ部４の外径が区々としても、これに上記レンズ開口２４の開度を対応させることができる。そこで、上記撮影レンズ部４の外径に上記レンズ開口２４の開度を対応させ、上記撮影レンズ部４に外嵌させる。すると、上記カメラ１とカバー１７の互いの位置決めができて、これらが相対的に無用に位置変化することが抑制される。
【００４９】
よって、このカバー１７によるカメラ１の保護が、より確実にできると共に、カメラ１の取り扱いが容易にできる。
【００５０】
なお、以上は図示の例によるが、カメラ１はビデオカメラであってもよい。また、他の開口２１と他の閉じ具２２とはなくてもよい。
【図面の簡単な説明】
【００５１】
【図１】カメラとその防水防塵装置の側面部分断面図である。
【図２】カメラとその防水防塵装置の正面部分断面図である。
【符号の説明】
【００５２】
１    カメラ
２    カメラ本体
３    カメラ本体基部
４    撮影レンズ部
５    シャッターボタン
６    吊り具
９    ズームレンズ部
１０  枢支具
１１  パネル式ファインダー
１２  連結具
１３  ストロボ
１６  防水防塵装置
１７  カバー
１８  開口
２４  レンズ開口
２６  回動軌跡
２８  調整具
【図１】
2006201659.tif 000003
【図２】
2006201659.tif 000004